(57)【要約】【課題】地図情報表示装置周辺の街の地図情報を自動的に作成する街角地図システムを提供する。【解決手段】対象地域の地図情報を表示する街角地図板１０と、対象地域にある建物０１〜０３に、建物を識別するＩＤとその建物情報を街角地図板１０に送信するための通信装置を設けた。街角地図板１０は各通信装置から送られた情報を基に地図データを構成して液晶画面に表示する。【選択図】　　　　図１
2004053740.tif 000002
【特許請求の範囲】
【請求項１】
街中の周辺の地図情報を電子システム化して表示する地図情報表示装置が液晶表示装置と、地図データ記憶装置と、印刷装置と、課金装置と、有線あるいは無線接続のインタフェースとを備え、前記地図データ記憶装置に蓄えられている地図を前記液晶表示装置に表示する街角地図システムであって、
前記地図情報表示装置の地図上に表示されている実際の建物それぞれと、前記地図情報表示装置とは、互いに通信するための有線あるいは無線の通信手段を有することを特徴とする街角地図システム。
【請求項２】
前記通信手段を有し、前記地図情報表示装置の地図上に表示されている実際の建物それぞれに、建物に関する情報を保持している建物情報記憶装置が備えられていることを特徴とする請求項１に記載の街角地図システム。
【請求項３】
前記建物情報記憶装置が保持している情報は、
前記地図情報表示装置が各建物を識別するための固有情報であることを特徴とする請求項２に記載の街角地図システム。
【請求項４】
前記建物情報記憶装置が保持している情報は、
前記地図情報表示装置が地図情報を作るための位置情報であることを特徴とする請求項２に記載の街角地図システム。
【請求項５】
前記建物情報記憶装置が保持している情報は、
通信相手となる前記地図情報表示装置の固有情報であることを特徴とする請求項２に記載の街角地図システム。
【請求項６】
前記地図情報表示装置は、
前記通信手段を使って、自身が表示する対象の建物と通信を行い、前記建物情報記憶装置より取得した建物に関する情報をもとに、表示する地図データを構築することを特徴とする請求項２に記載の街角地図システム。
【発明の詳細な説明】
【０００１】
【発明の属する技術分野】
本発明は、液晶表示装置をもちいた地図データの表示／印刷／ダウンロード／行き先案内サービスと、その地図データの更新方法を提供する街角地図システムに関する。
【０００２】
【従来の技術】
従来、地図上の自分の位置を確認し、行き先を示すナビゲーションシステムに用いられる地図表示方法を提供する発明が知られており、以下に代表的なものを紹介する。
【０００３】
従来技術１　特開平０５−３０７３５５号　地図表示装置
この発明は、自動的に最適な表示範囲を計算して画面に表示する方法を示したものである。
【０００４】
従来技術２　特開平０６−２２９７７３号、特開平０７−０２８３９５号　地図表示装置
これらの発明は、液晶表示装置の下にあらかじめ印刷された地図シートをもつ構造で、地図シートと画像データを重ね合わせるというものである。
【０００５】
従来技術３　特開平０７−０２８４０２号、特開平０７−１１０２３９号　地図表示装置
これらの発明は、通常の地図（紙に印刷されているもの）の上に画像データを重ね合わせて、ナビゲーションシステムとして機能させるというものである。
【０００６】
従来技術４　特願平１１−５２３７０１号　防舷材及びその管理システム
この発明は、船舶の係留時に緩衝材として用いる防舷材とその管理システムに関するものであり、各防舷材に衛星通信するためのトランスポンダを設置し、集中管理するシステムである。
【０００７】
【発明が解決しようとする課題】
市街地などにある周辺地図板は、板（鉄板等）の上に直接描かれたもので、非常に情報量が少ない。区画整備や建物の建替え等で地図が変わった場合は、地図版そのものを作り変えなければならない。また、携帯情報端末等に表示できる地図に比べて図面のサイズは大きいが、公共物であることと、重量及びサイズの問題で持ち運びができない。
【０００８】
また、地図情報は膨大であり、その情報をデータベースに入力することは大変な労力と時間を費やさなくてはならない。
【０００９】
従来技術１ではユーザに提示するのは最適な表示範囲であって、ナビゲーションに対しては適切であるが、本発明のようにより細かな情報を得るようなシステムではない。
従来技術２、３では、地図データがシート上のものであり、上記の課題に対しては不向きである。
従来技術４では、システム構成としては本発明に似ているところもあるが、そもそもの目的が異なる。
【００１０】
本発明ではこれらの問題点を解決し、市街地の周辺地図板を利用するユーザの利便を図ることを目的とする。
【００１１】
【課題を解決するための手段】
かかる目的を解決するため、請求項１に記載の発明は、街中の周辺の地図情報を電子システム化して表示する地図情報表示装置が液晶表示装置と、地図データ記憶装置と、印刷装置と、課金装置と、有線あるいは無線接続のインタフェースとを備え、地図データ記憶装置に蓄えられている地図を液晶表示装置に表示する街角地図システムであって、地図情報表示装置の地図上に表示されている実際の建物それぞれと、地図情報表示装置とは、互いに通信するための有線あるいは無線の通信手段を有することを特徴とする。
【００１２】
請求項２に記載の発明は、請求項１に記載の街角地図システムにおいて、通信手段を有し、地図情報表示装置の地図上に表示されている実際の建物それぞれに、建物に関する情報を保持している建物情報記憶装置が備えられていることを特徴とする。
【００１３】
請求項３に記載の発明は、請求項２に記載の街角地図システムにおいて、建物情報記憶装置が保持している情報は、地図情報表示装置が各建物を識別するための固有情報であることを特徴とする。
【００１４】
請求項４に記載の発明は、請求項２に記載の街角地図システムにおいて、建物情報記憶装置が保持している情報は、地図情報表示装置が地図情報を作るための位置情報であることを特徴とする。
【００１５】
請求項５に記載の発明は、請求項２に記載の街角地図システムにおいて、建物情報記憶装置が保持している情報は、通信相手となる地図情報表示装置の固有情報であることを特徴とする。
【００１６】
請求項６に記載の発明は、請求項２に記載の街角地図システムにおいて、地図情報表示装置は、通信手段を使って、自身が表示する対象の建物と通信を行い、建物情報記憶装置より取得した建物に関する情報をもとに、表示する地図データを構築することを特徴とする。
【００１７】
【発明の実施の形態】
以下、本発明の実施の形態を図面を参照しながら説明する。
【００１８】
図１は本発明の街角地図システムを使用する街中の周辺地図である。この図面には、街中にある周辺地図板を電子システム化した街角地図板１０と、街角地図板の周辺にある建物０１〜０３が記載されている。各建物の通信装置と街角地図板１０は有線もしくは無線ネットワークインタフェースにより接続されており、両者の間で建物の情報、地図板の情報が通信される。
【００１９】
図２は建物０１の外観図である。一般的に街角地図板１０に登録される建物は街角地図板１０と通信するための、有線あるいは無線の通信手段をもつ。図２においては、建物０１は無線の通信手段として、無線ネットワークインタフェース０２を持つ。また、建物情報を保持するための建物情報記憶装置０３が、建物内あるいはネットワークでアクセス可能な場所に置かれている。他の建物に関しても同様の通信手段を持つ。
【００２０】
図３は街角地図板１０の外観図である。この街角地図版１０は、地図を表示する液晶表示装置２０と、表示する地図データを記憶しておく地図データ記憶装置３０、地図データおよび種々の情報等の印刷をおこなう印刷装置４０、印刷したデータの情報料の精算をおこなう課金装置４５、外部システムとの通信を行うための無線ネットワークインタフェース６０、携帯端末との通信を実現するための無線接続インタフェース８０からなる。なお、通信をおこなうにあたって、有線のネットワークインタフェイスを使用しても同様の効果を得る。
【００２１】
ユーザは液晶表示装置２０に表示されている地図を閲覧しているときに、地図データ記憶装置３０にある地図情報を入手することができる。具体的には、印刷装置４０により地図データを印刷して入手し、その地図情報の情報料を課金装置４５により精算することで地図データを入手することができる。
【００２２】
図４は建物情報記憶装置０３に保存されている建物の固有情報と位置情報の詳細である。
建物情報記憶装置０３に保存されている建物情報１００は、街角地図板１０が建物を識別する際のキーとなる建物固有ＩＤ１０１、建物情報を最後に更新した情報更新日時１０２、ビルや一戸建てなどの建物の種類をあらわす建物種別１０３、フロア数１０４から構成される。また、建物情報１００は、建物の敷地を表わすための敷地頂点情報１１０を複数持つ。その敷地頂点情報１１０は、緯度情報１１１、経度情報１１２などから構成される。その複数の敷地頂点１１０でプロットされた閉領域を建物０１の敷地として、街角地図板１０は地図情報を構成する。場合によって、敷地の面積・形状を表す建物敷地情報１２０を利用してより詳細な地図情報を構成することもできる。
【００２３】
街角地図板１０は有線および無線ネットワークインタフェース６０を介して、街角地図板１０の固有情報を有する建物情報記憶装置０３と通信し、建物情報を手に入れて、地図データを構築していく。建物が変わっても、対応する建物情報を新たに手に入れて地図データを構築していくことができるので最新の地図情報を迅速に開示することができる。また、建物情報は各建物の管理者により管理されていて、街角地図板１０は最初から建物情報を記憶しておく必要がなく、ユーザの希望に応じて対象の建物からその建物情報を送信してもらえばよいので、街角地図板１０が所持する情報量は軽減される。
【００２４】
【発明の効果】
請求項１の発明に対応する街角地図システムでは、建物に通信手段を設けることにより、街角地図板との間で通信が可能となり、お互いの情報をやり取りすることが可能となり、ユーザに様々な機能を提供することが可能となる。
【００２５】
請求項２の発明に対応する街角地図システムでは、街角地図板とやりとりするための情報を、建物ごとに用意し、記憶しておくことにより、通信手段を使って、ユーザに様々な機能を提供することが可能となる。
【００２６】
請求項３、４、５の発明に対応する街角地図システムでは、建物情報記憶装置に記憶される種々の情報は、前記通信手段を使ってユーザにサービスを提供するために必要な情報であり、結果として、請求項１、２と同等の作用効果を得ることが出来る。
【００２７】
請求項６の発明に対応する街角地図システムでは、建物が持っている情報をもとに街角地図板１０が地図情報を自動的に作成することにより、建物が変わった場合に迅速に地図データを更新することが可能となる。また、地図情報を作るためには、地図データベースに作業者が膨大なデータを手入力することが普通であるが、各建物の管理者が行うことにより、その手間を省くことが可能となる。
【図面の簡単な説明】
【図１】本発明の街角地図システムを使用する街中の周辺地図である。
【図２】建物０１の外観図である。
【図３】街角地図板１０の外観図である。
【図４】建物情報記憶装置０３に保存されている建物の固有情報と位置情報の詳細である。
【符号の説明】
１０　街角地図板
２０　液晶表示装置
３０　地図データ記憶装置
４０　印刷装置
４５　課金装置
６０　無線ネットワークインタフェース
８０　無線接続ネットワークインタフェース
【図１】
2004053740.tif 000003
【図２】
2004053740.tif 000004
【図３】
2004053740.tif 000005
【図４】
2004053740.tif 000006